(57)【要約】      （修正有）【課題】強度が高く、収納ケースの表紙、裏紙及び窓部に印刷面を表出させることができる収納ケース及びその展開体シートを提供する。【解決手段】収納ケースは、第１及び第２の平面部と第１及び第２の側面部と背面部とを備えた１枚の展開体シートを折り曲げてなる。展開体シートは表裏のいずれかに印刷面を有する。第１及び第２の平面部には展開体シートの長手方向に第１から第４の折返し平面部とが略同一面積で連続される。第１の平面部には、展開体シートの幅方向に第１から第４の折返し側面部とが、第２の平面部には第１及び第２の側面部が、連続される。第１及び第２の折返し平面部を、第１及び第２の平面部に折込み、第３及び第４の折返し側面部を折込んだ第１及び第２の折返し側面部に第１及び第２の側面部を重ね、印刷面が収納ケースの内外面と芯材の外面に面するよう形成されている。【選択図】図１
0003159860.tif 000002
【実用新案登録請求の範囲】
【請求項１】
第１及び第２の平面部と第１及び第２の側面部と背面部とを備えた１枚の展開体シートを折り曲げてなる直方体状の収納ケースにおいて、
前記展開体シートは表裏のいずれかに印刷面を有し、
前記第１及び第２の平面部には前記展開体シートの長手方向に第１及び第２の折返し平面部と第３及び第４の折返し平面部とが略同一面積で連続され、
前記第１の平面部には前記展開体シートの幅方向に第１及び第２の折返し側面部と第３及び第４の折返し側面部とが略同一面積で連続され、前記第２の平面部には前記幅方向に第１及び第２の側面部が略同一面積で連続され、
前記第３及び第４の折返し平面部から前記第１及び第２の折返し平面部を前記第１及び第２の平面部に折込むと同時に、前記第３及び第４の折返し側面部を折込んだ前記第１及び第２の折返し側面部に前記第１及び第２の側面部を重ね、前記印刷面が前記収納ケースの内外面と芯材の外面に面するよう形成されていることを特徴とする収納ケース。
【請求項２】
前記第１又は第２の平面部に、前記第２又は第４の折返し平面部の一部を露出可能とする窓部が形成されていることを特徴とする請求項１に記載の収納ケース。
【請求項３】
前記第１又は第２の平面部に、前記第２又は前記第４の折返し平面部との間に物品を挿入可能な挿入口が形成されていることを特徴とする請求項１又は２に記載の収納ケース。
【請求項４】
第１及び第２の平面部と第１及び第２の側面部と背面部とを備え、折り曲げて直方体状の収納ケースとするための展開体シートにおいて、
前記展開体シートは表裏のいずれかに印刷面を有し、
前記第１及び第２の平面部には前記展開体シートの長手方向に第１及び第２の折返し平面部と第３及び第４の折返し平面部とが略同一面積で連続され、
前記第１の平面部には前記展開体シートの幅方向に第１及び第２の折返し側面部と第３及び第４の折返し側面部とが略同一面積で連続され、前記第２の平面部には前記幅方向に第１及び第２の側面部が略同一面積で連続され、
前記第３及び第４の折返し平面部から前記第１及び第２の折返し平面部を前記第１及び第２の平面部に折込むと同時に、前記第３及び第４の折返し側面部を折込んだ前記第１及び第２の折返し側面部に前記第１及び第２の側面部を重ね、前記印刷面が前記収納ケースの内外面と芯材の外面に面するよう形成可能であることを特徴とする展開体シート。
【考案の詳細な説明】
【技術分野】
【０００１】
本考案は、書籍又は情報記録媒体等あるいはこれらのパッケージを装着するための収納ケース及びその展開体シートに関する。
【背景技術】
【０００２】
紙などを素材とする直方体形状の収納ケースが、ハードカバーの書籍を保護するためのブックケースや、ＤＶＤ等の情報記録媒体のパッケージを覆う外箱として広く用いられている。これらの収納ケースの多くは、特許文献１に開示されているように、１枚の紙などの単一の部材を折り曲げて直方体形状に組み立てられる。
【０００３】
特許文献２には、１つの折畳んだ素材で形成された書籍表紙で、天地方向にフラップが設けられ、製造時にそれぞれのフラップをひらの部分に折畳み接着することで、ひらの部分を二層の接着された素材とした書籍表紙が開示されている。この書籍表紙は、ひらの部分が複数の素材の層からなるため、強度が高くなっている。二層の素材のうち表側の層に切り込みを設けることで、裏側の層が見える窓や、表側と裏側の層の間にディスクなどを挟むことができるディスクホルダを設けることができる。
【先行技術文献】
【特許文献】
【０００４】
【特許文献１】特開平１０−６７１９１号公報
【特許文献２】特表２００８−５３１３４０号公報
【考案の概要】
【考案が解決しようとする課題】
【０００５】
しかしながら、特許文献１に開示されている収納ケースは、直方体が一層の紙からなっているので、強度が低く破損しやすい。特に面積の大きい平面（表紙、裏表紙）では歪みが生じやすいことから、書籍や情報記録媒体のパッケージを収納しようとするときに挿入しにくいことがある。
【０００６】
さらに、収納ケースの外側にデザインを施す場合は、収納ケースが一層の紙からなっているので、外側に窓部やディスクホルダ等の挿入口を設けることはできない。収納ケースの内側までデザインを施そうとする場合は、裏面に印刷やラミネート加工を行う必要があり製造工程が複雑化する。
【０００７】
そこで本考案者らは、特許文献２に開示されているような書籍表紙の技術をもとに、収納ケースを二層以上の紙で形成することで強度を高め、窓部や挿入口を設けることについて研究した。しかし、特許文献２の技術では、書籍表紙の天地方向に設けられたフラップをそれぞれ折り曲げて、窓部の図案が施される層を形成するので、この層には天地方向の略中央に合わせ目（ギャップ）ができる。合わせ目の部分は強度が弱くなるので、収納ケースの場合は合わせ目の部分で折れ曲がりやすくなり、強度と両立することができないという問題が生じる。
【０００８】
また、合わせ目の部分には切れ目が生じているので、それ自体が美観をそこね、印刷同士にずれが生じるので連続した図柄を設けることが困難である。そのため、この部分には窓部を設けることができない。
【０００９】
さらに、合わせ目の部分には段差が生じるので、挿入口を設けると挿入した物品が引っかかることがあり、物品や収納ケースが破損するなどの問題が生じる。そのため、この部分には挿入口を設けることはできない。したがってこの収納ケースは、窓部や挿入口を設けることのできる位置が限られる。
【００１０】
収納ケースの外部に、窓部や挿入口以外の平面的又は立体的なデザインや機能的な構造を施す場合も、合わせ目によって生じる問題を避けるような構造か、あるいは合わせ目を避けるような位置に施さなくてはならない。そのため、この収納ケースは施すことのできるデザインや機能的な構造が限定されたものとなる。
【００１１】
こうした問題を解決するために、表紙、芯紙及び裏紙の３部材を重ねて収納ケースを構成することで、強度を高め、表紙と裏紙に挟まれた合わせ目のない芯紙に窓部や挿入口を設け、裏紙の収納ケースの内側印刷等を行う手段が考えられる。しかし、３部材を用いることで製造工程が複雑化しコストが高騰する。さらに、糊などの接着手段を多く用いなくてはならないのではみ出しやすく、美観をそこねやすいといった問題がある。
【００１２】
特に収納ケースに窓部又は挿入口を設ける場合は、表紙及び裏紙のほかに、芯紙の印刷面を窓部又は挿入口に面して設ける必要があるので、製造工程およびコストの問題、接着手段がはみ出し美観をそこねるおそれが大きくなる。
【００１３】
収納ケースにデザインや情報を印刷などで施す場合や、窓部又は挿入口を設ける場合には、部材ごとに別々に印刷、窓部又は挿入口のための切れ込みを入れる処理を行うことになる。よって、印刷同士、切れ込み同士や、切れ込みに対応する印刷の相互の位置がずれるといったことが起こる。そのため、収納ケースの外側と内側、紙の相互の合わせ目部分で連続的又は対応するデザイン又は情報を設けようとしても困難が伴う。特に、窓部又は挿入口と、それに対応する印刷を設けようとした場合、それらの相互の位置がずれることがある。
【００１４】
従って本考案の目的は、強度が高く、平面部及び側面部の全面にわたって窓部や挿入口を設けることができ、収納ケースの表紙、裏紙及び窓部に印刷面を表出させることができ、これらの面に連続的又は対応するデザインを設けることができる収納ケース及びその展開体シートを提供することにある。
【課題を解決するための手段】
【００１５】
本考案に係る収納ケースによれば、第１及び第２の平面部と第１及び第２の側面部と背面部とを備えた１枚の展開体シートを折り曲げてなる直方体状の収納ケースにおいて、前記展開体シートは表裏のいずれかに印刷面を有し、前記第１及び第２の平面部には前記展開体シートの長手方向に第１及び第２の折返し平面部と第３及び第４の折返し平面部とが略同一面積で連続され、前記第１の平面部には前記展開体シートの幅方向に第１及び第２の折返し側面部と第３及び第４の折返し側面部とが略同一面積で連続され、前記第２の平面部には前記幅方向に第１及び第２の側面部が略同一面積で連続され、前記第３及び第４の折返し平面部から前記第１及び第２の折返し平面部を前記第１及び第２の平面部に折込むと同時に、前記第３及び第４の折返し側面部を折込んだ前記第１及び第２の折返し側面部に前記第１及び第２の側面部を重ね、前記印刷面が前記収納ケースの内外面と芯材の外面に面するよう形成されていることを特徴とするものである。
【００１６】
本考案に係る収納ケースはいずれか一つの紙面を印刷面とし、収納ケースの平面部は、表紙となる第１及び第２の平面部、芯紙となる第３及び第４の折返し平面部、裏紙となる第１及び第２の折返し平面部の順番に、三層の折返し構造で形成され、表紙側と裏紙側とを印刷面とし、芯紙の表紙側をも印刷面としている。収納ケースの側面部は、表紙となる第１及び第２の側面部、芯紙となる第１及び第２の折返し側面部、裏紙となる第３及び第４の折返し側面部の順番に、三層の折返し構造で形成され、表紙側と裏紙側とを印刷面とし、芯紙の表紙側をも印刷面としている。
【００１７】
本考案に係る展開シートによれば、第１及び第２の平面部と第１及び第２の側面部と背面部とを備え、折り曲げて直方体状の収納ケースとするための展開体シートにおいて、展開体シートは表裏のいずれかに印刷面を有し、前記第１及び第２の平面部には前記展開体シートの長手方向に第１及び第２の折返し平面部と第３及び第４の折返し平面部とが略同一面積で連続され、前記第１の平面部には前記展開体シートの幅方向に第１及び第２の折返し側面部と第３及び第４の折返し側面部とが略同一面積で連続され、前記第２の平面部には前記幅方向に第１及び第２の側面部が略同一面積で連続され、前記第３及び第４の折返し平面部から前記第１及び第２の折返し平面部を前記第１及び第２の平面部に折込むと同時に、前記第３及び第４の折返し側面部を折込んだ前記第１及び第２の折返し側面部に前記第１及び第２の側面部を重ね、前記印刷面が前記収納ケースの内外面と芯材の外面に面するように形成可能であることを特徴とするものである。
【００１８】
本考案に係る展開シート体はいずれか一つの紙面を印刷面とし、収納ケースの平面部は、表紙となる第１及び第２の平面部、芯紙となる第３及び第４の折返し平面部、裏紙となる第１及び第２の折返し平面部の順番に、三層の折返し構造で形成可能にされている。収納ケースの側面部は、表紙となる第１及び第２の側面部、芯紙となる第１及び第２の折返し側面部、裏紙となる第３及び第４の折返し側面部の順番に、三層の折返し構造で形成可能にされている。
【考案の効果】
【００１９】
本考案に係る収納ケースによれば、単一紙から各平面部と各側面部とを３層構造に強固に折返しして提供することができ、各平面部と各側面部と背面部とにおける表紙側に印刷面を表出させたうえで、各平面部と各側面部の裏紙側にも印刷面を連続ないし任意に表出させ、併せて芯紙の表紙側をも印刷面として表紙側に配置することができる。その結果、平面部や側面部の任意部位に窓部を開口して立体的な印刷模様を感得可能としたり、収納部としても利用するなどの多用途性を確保することができる。
【００２０】
また、本考案に係る収納ケースによれば、各平面部と各側面部からなるケース骨格枠を三層として各面の合わせ目を折返し構造としたので、ケース骨格の強度が高められ、折り曲がりや変形を防止し、重厚感のあるケースを提供することができる。
【００２１】
さらに、本考案に係る収納ケースによれば、ケースの表紙側と裏紙側と任意な窓等から表出可能な芯紙とが一面の印刷から形成されているので、連続的な図案や模様等を内外面と窓から美麗に提供することができ、ケースの商品価値を高めることができる。特に、窓部の形状、大きさ、設置位置等を自由にデザインすることができるようになった。
【００２２】
次に、本考案に係る展開体シートによれば、表裏のいずれかに印刷面を有し、前記第１及び第２の平面部には前記展開体シートの長手方向に第１及び第２の折返し平面部と第３及び第４の折返し平面部とが略同一面積で連続され、前記第１の平面部には前記展開体シートの幅方向に第１及び第２の折返し側面部と第３及び第４の折返し側面部とが略同一面積で連続され、前記第２の平面部には前記幅方向に第１及び第２の側面部が略同一面積で連続され、前記第３及び第４の折返し平面部から前記第１及び第２の折返し平面部を前記第１及び第２の平面部に折込むと同時に、前記第３及び第４の折返し側面部を折込んだ前記第１及び第２の折返し側面部に前記第１及び第２の側面部を重ね、前記印刷面が前記収納ケースの内外面と芯材の外面に面するよう形成可能とするデザイン性が高いシートを提供することができる。
【図面の簡単な説明】
【００２３】
【図１】（ａ）は本考案の第１の実施形態に係る収納ケースの斜視図である。（ｂ）は（ａ）の収納ケースのＡ−Ａ断面図である。（ｃ）は（ａ）の収納ケースのＢ−Ｂ断面図である。
【図２】本考案の第１の実施形態に係る展開体シートの平面図である。
【図３】図２の展開体シートから折返し平面部４０及び４１を折返す過程を示す斜視図である。
【図４】図３から折返し平面部３０及び３１、折返し側面部６２を折返す過程を示す斜視図である。
【図５】図４から側面部６０、折返し側面部６１、平面部２０及び２１を折返す過程を示す斜視図である。
【図６】図５から側面部６０を折返し側面部６１に重ねる過程を示す斜視図である。
【図７】図６から収納ケースを組み立てた状態を示す斜視図である。
【図８】図１の収納ケースの使用時に窓部を開いた状態を示す斜視図である。
【図９】本考案の第２の実施形態に係る収納ケースの使用時に挿入口を開いた状態を示す斜視図である。
【図１０】本考案の第３の実施形態に係る展開体シートの平面図である。
【考案を実施するための形態】
【００２４】
以下、本考案の実施形態に係る収納ケース及び展開体シートについて図面を参照して説明する。
【００２５】
［第１の実施形態］
図１（ａ）に示す収納ケース１は、図２に示す１枚の展開体シート１０を折り曲げて直方体状を有してなる。展開体シート１０は、第１及び第２の平面部２０及び２１と、第１及び第２の側面部６０・６０と、背面部５０とを備える。
【００２６】
第１及び第２の平面部２０及び２１には、展開体シート１０の長手方向に第１及び第２の折返し平面部３０及び３１と第３及び第４の折返し平面部４０及び４１とが略同一面積で連続されている。なお、本実施形態では展開体シート１０の長手方向とは、図２に向かって左右方向とし、展開体シート１０の幅方向とはその垂直方向（図２に向かって上下方向）とする。
【００２７】
すなわち本実施形態では、第１の平面部２０には図２に向かって左側に第１の折返し平面部３０が形成され、さらに第１の折返し平面部３０の左側に第３の折返し平面部４０が形成されている。一方で、第２の平面部２１には図２に向かって右側に第２の折返し平面部３１が形成され、さらに第２の折返し平面部３１の右側に第４の折返し平面部４１が形成されている。折返し平面部３０及び３１は、平面部２０及び２１に比べて、その寸法が長手方向及び幅方向ともに展開体シート１０の材料である厚紙の厚さ２〜５枚分だけ短くなっている。折返し平面部４０及び４１は、折返し平面部３０及び３１に比べて、その寸法が長手方向に前記厚紙の厚さ２〜５枚分だけ短くなっている。
【００２８】
第１の平面部２０には、展開体シート１０の幅方向に第１及び第２の折返し側面部６１・６１と、第３及び第４の折返し側面部６２・６２とが略同一面積で連続されている。
【００２９】
すなわち本実施形態では、第１の平面部２０から図２での上方向に折返し側面部６１（第１の折返し側面部）が連続して形成されている。さらに、第１の折返し側面部６１から長手方向の一方、図２に示した例では向かって左方向に、折返し側面部６２（第３の折返し側面部）が連続して形成されている。第１の平面部２０から図２での下方向には折返し側面部６１（第２の折返し側面部）が連続して形成されている。さらに、第２の折返し側面部６１から前述した同じ左方向に、折返し側面部６２（第４の折返し側面部）が連続して形成されている。折返し側面部６１は、それぞれ後述する側面部６０よりも厚紙の厚さの２〜５枚分幅方向及び長手方向に寸法が小さく、折返し側面部６２はさらに略同長さだけ寸法が小さくなっている。折返し側面部６１は、後述する背面代５１と重なって余分な厚さが生じることがないよう、それぞれ図の右上部と右下部に、背面代５１と嵌合可能な大きさの切り欠き６１ｂが設けられた形状となっている。
【００３０】
第２の平面部２１には、展開体シート１０の幅方向に第１及び第２の側面部６０・６０が略同一面積で連続されている。すなわち、図２に示した例では平面部２１の上方向に側面部６０（第１の側面部）、平面部２１の下方向に側面部６０（第２の側面部）がそれぞれ形成されている。
【００３１】
側面部６０・６０からは、それぞれ側面部小口折返し代６３・６３が展開体シート１０の長手方向、図２での右方向に連続して形成されている。側面部小口折返し代６３は、幅方向が折返し側面部６０の幅方向よりも厚紙の厚さの２〜５枚分短く形成されており、折返した際に収納ケース１の縁に折れ曲がらずに当接するようになっている。長手方向は折返し側面部６０の長手方向の長さより１／１０〜１／４前後であり、折返しやすいように長すぎず、折返した後に自然に戻ることがないように短すぎない長さになっている。側面部６０と側面部小口折返し代６３との間の小口折り目６４は、収納ケース１の分厚さに対して折り曲げられるよう、厚紙の厚さ２〜５枚分の幅を隔てて２本の折り目が平行して設けられ、薄いコの字状に折り曲げられるようになっている。なお、平行した２本の折り目にかえて、折り目自体が幅のあるものが設けられていてもよい。
【００３２】
平面部２０には、折返し平面部４０の一部を露出可能とする窓部２２が設けられている。窓部２２は、平面部２０の略中央部に長方形状に、三辺に切り込み２３を設け、残りの一片に窓部折り目２４を設けることで形成されている。本実施形態では、切り込み２３はミシン目（図では破線で表す）となっている。なお、ミシン目にかえて、一部（例えば角部など）を切り残したり、全て切り込んである各種の切れ目になっていてもよい。
【００３３】
折返し平面部４０には、収納ケース１が組み立てられた時に窓部２２から露出する一部として、デザインＤが施されている。本実施形態では、デザインＤはラミネート加工より前に印刷された画像で、折返し平面部４０の略中央に施されている。
【００３４】
展開体シート１０は、１枚の紙材や合成樹脂等のシートあるいはこれらの複合紙からなるもので、本実施形態では厚紙からなる。展開体シート１０は、表裏のうち図２で示されている側の面に印刷面を有する。印刷面は、印刷などのデザインが施された後、必要に応じてコーティングされた面である。本実施形態ではコーティングには印刷面として展開体シート１０の略全面にラミネート加工を施している。なお、各種の印刷などのデザイン、コーティングや加工は選択的に施すことも、略すこともできる。展開体シート１０を構成するそれぞれの面の相互は、押圧などによって折り目が形成され、折り曲げ可能となっている。図２では折り目はすべて山折り線（図では２点鎖線で表す）である。
【００３５】
展開体シート１０は、背面部５０の部材を中心に形成されている。背面部５０は収納ケース１を折り加工し組み立てた際には、開口された正面１１と対向する面をなすものである。本実施形態では、第１の平面部２０及び第２の平面部２１は、背面部５０から展開体シート１０の長手方向に延びるように形成されている。背面部５０には、展開体シート１０での幅方向の両端に、側面部６０・６０と重なる折り代や糊代となる背面代５１・５１がそれぞれ形成されている。背面代５１・５１は後述する折返し側面代６１・６１と重ならず嵌合するよう台形状となっている。
【００３６】
次に、本実施形態の収納ケース１を折り加工し組み立てる際について図３〜６に示して説明する。図３〜６では、展開体シート１０は図２で示されている印刷面とは裏側の他方の面（非印刷面）を示しており、図に示した折り目はすべて谷折り線である。収納ケース１を組み立てる際には、この他方の面が収納ケース１の内側となるように形成する。
【００３７】
まず、第３及び第４の折返し平面部４０及び４１から、第１及び第２の折返し平面部３０及び３１を、第１及び第２の平面部２０及び２１に折込む。
【００３８】
すなわち、図３に示すように、展開体シート１０から、折返し平面部４０及び４１を、印刷面の他方の面の方向に、折り目４０ａ及び４１ａに沿って谷折りし、それぞれ折返し平面部３０及び３１の部材に重なるように他方の面の方向に折込む。折返し平面部４０及び４１は、長手方向の寸法が折返し平面部３０及び３１よりも紙の厚さ２〜５枚分短いため、それぞれの長手方向の端部４０ｂ及び４１ｂが、折り目３０ａ及び３１ａに重なることがない。そのため、折り返し平面部４０及び４１が、この後のこれらの箇所での折込みを阻害することがない。
【００３９】
ついで図４に示すように、折返し平面部３０及び３１を、印刷面の他方の面の方向に、折り目３０ａ及び３１ａに沿って谷折りし、それぞれ平面部２０及び２１の部材に重なるように他方の面の方向に折込む。このとき、共に折返し平面部４０及び４１がそれぞれ平面部２０及び２１側に折り返されることになる。折返し平面部３０及び３１は、平面部２０及び２１よりも長手方向及び幅方向の寸法が厚紙の厚さ２〜５枚分短いため、それぞれの長手方向の端部である折り目４０ａ及び４１ａ、幅方向の端部３０ｃ、３１ｃ、４０ｃ及び４１ｃが、折り目２０ａ、２１ａ、６０ａ及び６１ａに重なることがない。そのため、折り込まれた折返し平面部３０、３１、４０及び４１が、この後のこれらの箇所での折込みを阻害することがない。
【００４０】
次に、第３及び第４の折返し側面部６２・６２を折込んだ第１及び第２の折返し側面部６１・６１に、第１及び第２の側面部６０・６０を重ねる。
【００４１】
すなわち、図４に示すように、折返し側面部６２・６２を、折り目６２ａ・６２ａに沿って折返し側面部６１・６１側に重なるように他方の面の方向に折込む。折返し平面部６２・６２は、折返し平面部６１・６１よりも長手方向及び幅方向の寸法が厚紙の厚さ２〜５枚分短いため、折返し平面部６１・６１の端部に重なることがない。そのため、この後の折返し平面部６１・６１の折込みを阻害することがない。
【００４２】
ついで図５に示すように、側面部６０・６０及び折返し側面部６１・６１を、折り目６１ａ・６１ａに沿って谷折りし、それぞれ平面部２０及び２１側に略垂直に折込む。平面部２０及び平面部２１を折り目２０ａ及び２１ａに沿って背面部５０に対して略垂直に折込み、背面代５１・５１を折り目５１ａ・５１ａに沿って背面部５０に対して略垂直に折込む。
【００４３】
さらに図６に示すように、側面部６０・６０を折返し側面部６１・６１に、それぞれ収納ケース１の外側になるように重ねる。背面代５１は折返し側面部６１・６１の切り欠き６１ｂ・６１ｂに嵌合するように、側面部６０・６０と、折返し側面部６２・６２との間に挿入される。最後に、側面部小口折返し代６３・６３を小口折り目６４・６４に沿って収納ケース１の内側になるよう、側面部６０・６０とそれらに重なった各折返し側面部に重ねるように折込み、図７に示すように直方体形状を形成する。
【００４４】
こうして組み立てられた収納ケース１は、それぞれ印刷面がケースの裏紙側（内面）、表紙側（外面）及び芯紙の表紙側（芯材の外面）に面している。すなわち、図１（ｂ）及び（ｃ）に示すように、表紙となる平面部２０及び２１、側面部６０・６０は、印刷面が表紙側に面している。裏紙となる折返し平面部３０及び３１、折り返し側面部６１・６１は、印刷面が裏紙側に面している。芯紙（芯材）となる折返し平面部４０及び４１、折返し側面部６２・６２は、印刷面が表紙側に面している。
【００４５】
収納ケース１は、平面部及び側面部では表紙、裏紙、芯紙が重なり、三層の構造となっている。多層に重なっていることで、合わせ目に切り込みなどが生じにくい。収納ケース１の組み立てに糊を使用する場合も、重なっているうち内側の部材の張り合わせに用いることで、収納ケース１の外部にはみ出すことが少ない。
【００４６】
表紙側、裏紙側、芯紙の表紙側の印刷面は連続しており、これらの相互の面で連続的又は対応する図案などのデザインを施すことが容易に可能となる。
【００４７】
図８に示すように、平面部２０の窓部２２は収納ケース１の表紙側に面している。このときミシン目や切れ目による切り込み２３を切り、折り目２４を折ることによって、窓部２２を開くことが可能である。図１に示すように平面部２０には芯紙となっている折返し平面部４０が重なっており、印刷面がその芯紙の表紙側に面している。そのため、窓部２２を開くと折返し平面部４０の印刷面が露出し、印刷されたデザインＤが現れる構造となる。平面部２０及び折返し平面部４０の面の全面に渡って窓部２２やデザインＤの位置を選択することができるので、多様な表現が可能である。折返し平面部４０は平面部２０及び折返し平面部３０と平面が連続しているので、これらの相互の面で連続的な図案が可能である。平面部２１に窓部を設けて折返し平面部４１が露出する構造とする場合もこれと同様である。
【００４８】
収納ケース１の裏紙側、表紙側及び芯紙の表紙側に面しているのはすべて印刷面であるため、塗装やコーティングを施すことで収納ケースの裏紙側、表紙側及び芯紙の表紙側の全面にデザイン及びコーティングによる破損や汚れからの保護が得られ、保護を施すための作業工程が少ない。ケースの裏紙側、表紙側及び芯紙の表紙側とを連続した図柄で印刷することができ、デザインの多様な表現が可能となる。
【００４９】
［第２の実施形態］
第２の実施形態では、図９に示すように、上述の窓部２２にかえて、平面部２０の略中央部分に挿入口２５が設けられている。
【００５０】
挿入口２５は平面部２０に左右方向に施されたミシン目や連続した切れ目等の切り込みであり、本実施形態では展開体１０にミシン目として施し、組立後にミシン目を切ったものである。この挿入口２５に、栞ｈや折込チラシＢ、その他情報を記載したカード、広告紙又はディスク等の情報記録媒体といった薄手の物品を挿入することが可能であり、挿入した物品は平面部２０と折返し平面部３１の間に挟まって保護されることになる。折返し平面部３１はこの実施形態ではラミネート加工されているので、挿入した物品が保護される。挿入口２５を通じて折返し平面部３１の印刷面に露出する部分がある場合は、印刷面に挿入位置や注意書きなどの情報を印刷することができるが、平面部２０と連続的な図柄を印刷することが可能である。
【００５１】
なお、平面部２１に挿入口を設ける場合も、これらと同様に行うことができる。その他の部分については第１の実施形態と同符号を付して説明を省略する。
【００５２】
［第３の実施形態］
第３の実施形態では、図１０に示すように、展開体シート１０Ａは第１の折返し側面部６１から幅方向の一方、図１０での上方向に、折返し側面部６２Ａ（第３の折返し側面部）が連続して形成されている。第２の折返し側面部６１から幅方向の一方、図１０での下方向に、折返し側面部６２Ａ（第４の折返し側面部）が連続して形成されている。折返し側面部６２Ａ・６２Ａにはそれぞれ右下と右上に、折返し側面部６１同様に背面代５１に嵌合可能な切り欠きが設けられている。
【００５３】
収納ケースを組み立てる際には、折返し側面部６２Ａ・６２Ａを、折返し側面部６１・６１との間の幅方向に設けられた折り目６２ａ・６２ａに沿って折返し側面部６１・６１側に重なるように折込む。その他の部分については第１の実施形態と同符号を付して説明を省略する。
【００５４】
［その他の実施形態］
これらの実施形態の変更態様として、平面部２０及び２１、側面部６０・６０には同様のデザイン、または他の構造のデザインを施すことができ、これらの窓部、切り込みなどの凹凸を有するものを適宜施すことができる。例として、これらの面に浮き彫り状のエンボス加工を施すことができ、収納ケースの平面部及び側面部は三層の構造となっているのでエンボス加工によって収納ケースの内側に凹凸が生じることがなく、さらに三層の構造の部材同士は貼り合わさっていないため、凹凸差が大きく効果の高いエンボス加工を施すことができる。
【００５５】
以上述べた実施形態は全て本考案を例示的に示すものであって限定的に示すものではなく、本考案は実施形態に記載された各構成要素の相互の組み合わせや、他の種々の変形態様及び変更態様で実施することができる。従って本考案の範囲は実用新案登録請求の範囲及びその均等範囲によってのみ規定されるものである。
【符号の説明】
【００５６】
１    収納ケース
１０、１０Ａ  展開体シート
１１  開口
２０、２１  平面部
２０ａ、２１ａ、３０ａ、３１ａ、４０ａ、４１ａ、５１ａ、６０ａ、６１ａ、６２ａ  折り目
２２  窓部
２３  切り込み
２４  窓部折り目
２５  挿入口
３０、３１、４０、４１  折返し平面部
３０ｃ、３１ｃ、４０ｂ、４１ｂ、４０ｃ、４１ｃ  端部
５０  背面部
５１  背面代
６０  側面部
６１、６２、６２Ａ  折返し側面部
６１ｂ  切り欠き
６３  側面小口折返し代
６４  小口折り目
Ｂ  折込チラシ
ｈ  栞
Ｄ  デザイン
【図１】
0003159860.tif 000003
【図２】
0003159860.tif 000004
【図３】
0003159860.tif 000005
【図４】
0003159860.tif 000006
【図５】
0003159860.tif 000007
【図６】
0003159860.tif 000008
【図７】
0003159860.tif 000009
【図８】
0003159860.tif 000010
【図９】
0003159860.tif 000011
【図１０】
0003159860.tif 000012